(57)【要約】【課題】集塵部に配置されたフィルターの清掃等のメンテナンスの手間を低減させることができる電気掃除機を提供することを課題とする。【解決手段】電動送風機３が内装された掃除機本体１と、該掃除機本体１に装着され、塵埃を集塵する集塵部２と、該集塵部２を覆う本体ダストカバー４と、前記集塵部２と連通掃除機本体１内に塵埃を除去する集塵部２と電動送風機３を内装し、電動送風機３の駆動により集塵部２に吸引された空気の塵埃を除去するフィルター１４の上流側に使い捨てフィルター１５を配置可能に構成する。また、使い捨てフィルター１５は挟持されて装着される。【選択図】    図２
2006346489.tif 000002
【特許請求の範囲】
【請求項１】
電動送風機が内装された掃除機本体と、該掃除機本体に装着され、塵埃を集塵する集塵部と、該集塵部を覆う本体ダストカバーと、前記集塵部と連通し、ホースが着脱自在に接続された吸気流入口とを備えた電気掃除機であって、
前記集塵部は、
前記吸気流入口に連通する吸込口から吸引された塵埃を貯める集塵室と、該集塵室の上方に設けられた取っ手と、前記集塵室から排気される空気から塵埃を除去するフィルターと、パッキンを有し、前記集塵室内に貯まったごみを捨てる際に開閉する開口部と、該開口部に形成された把手と、該把手と係合することにより前記開口部を閉塞状態に保持する係止部と、該係止部を操作する操作部と、前記開口部を回動自在に回動させる回動軸とを備え、
前記フィルターをメッシュ状のプレフィルターとメインフィルターとで構成し、
前記プレフィルター及び前記メインフィルターを前記開口部に配設し、
更に、前記プレフィルターの上流側に使い捨てフィルターを配置できる構成とし、
前記回動軸を、前記集塵部の外周面で、且つ前記集塵室の下方側に位置させ、
前記使い捨てフィルターを前記開口部の前記パッキンと前記集塵部とで挟持したことを特徴とする電気掃除機。
【請求項２】
電動送風機が内装された掃除機本体と、該掃除機本体に装着され、塵埃を集塵する集塵部と、該集塵部を覆う本体ダストカバーと、前記集塵部と連通し、ホースが着脱自在に接続された吸気流入口とを備えた電気掃除機であって、
前記集塵部は、
前記吸気流入口に連通する吸込口から吸引された塵埃を貯める集塵室と、該集塵室の上方に設けられた取っ手と、前記集塵室から排気される空気から塵埃を除去するフィルターと、前記集塵室内に貯まったごみを捨てる際に開閉する開口部と、該開口部を閉塞状態に保持する係止部と、該係止部を操作する操作部と、前記開口部を回動自在に回動させる回動軸とを備え、
前記開口部に前記フィルターを配設し、
前記フィルターの上流側に使い捨てフィルターを配置できる構成とし、
前記使い捨てフィルターの取付面を凹凸の少ないフラットな面で形成し、
前記回動軸を、前記集塵部の外周面で、且つ前記集塵室の下方側に位置させ、
前記使い捨てフィルターを前記開口部と前記集塵部とで挟持したことを特徴とする電気掃除機。
【請求項３】
電動送風機が内装された掃除機本体と、該掃除機本体に装着され、塵埃を集塵する集塵部と、該集塵部を覆う本体ダストカバーと、前記集塵部と連通し、ホースが着脱自在に接続された吸気流入口とを備えた電気掃除機であって、
前記集塵部は、
前記吸気流入口に連通する吸込口から吸引された塵埃を貯める集塵室と、該集塵室の上方に設けられた取っ手と、前記集塵室から排気される空気から塵埃を除去するフィルターと、前記集塵室内に貯まったごみを捨てる際に開閉する開口部と、該開口部を閉塞状態に保持する係止部と、該係止部を操作する操作部と、前記開口部を回動自在に回動させる回動軸とを備え、
前記開口部に前記フィルターを配設し、
前記フィルターの上流側に使い捨てフィルターを配置できる構成とし、
前記使い捨てフィルターの取付面の形状を長方形に形成し、
前記回動軸を、前記集塵部の外周面で、且つ前記集塵室の下方側に位置させ、
前記使い捨てフィルターを前記開口部と前記集塵部とで挟持したことを特徴とする電気掃除機。
【請求項４】
電動送風機が内装された掃除機本体と、該掃除機本体に装着され、塵埃を集塵する集塵部と、該集塵部を覆う本体ダストカバーと、前記集塵部と連通し、ホースが着脱自在に接続された吸気流入口とを備えた電気掃除機であって、
前記集塵部は、
前記吸気流入口に連通する吸込口から吸引された塵埃を貯める集塵室と、前記集塵室から排気される空気から塵埃を除去するフィルターと、前記集塵室内に貯まったごみを捨てる際に開閉する回動自在の開口部とを備え、
前記フィルターを前記開口部に配設し、
前記フィルターの上流側に使い捨てフィルターを配置できる構成とし、
前記使い捨てフィルターを前記開口部と前記集塵部とで挟持したことを特徴とする電気掃除機。
【請求項５】
電動送風機が内装された掃除機本体と、該掃除機本体に装着され、塵埃を集塵する集塵部と、該集塵部を覆う本体ダストカバーと、前記集塵部と連通し、ホースが着脱自在に接続された吸気流入口とを備えた電気掃除機であって、
前記集塵部は、
前記吸気流入口に連通する吸込口から吸引された塵埃を貯める集塵室と、前記集塵室から排気される空気から塵埃を除去するフィルターと、前記集塵室内に貯まったごみを捨てる際に開閉する回動自在の開口部とを備え、
前記フィルターをプレフィルターとメインフィルターとで構成し、
前記プレフィルター及び前記メインフィルターを前記開口部に配設し、
前記プレフィルターの上流側に使い捨てフィルターを配置できる構成とし、
前記使い捨てフィルターを前記開口部と前記集塵部とで挟持したことを特徴とする電気掃除機。
【発明の詳細な説明】
【技術分野】
【０００１】
本発明は集塵部にフィルターを有する電気掃除機に関する。
【背景技術】
【０００２】
この種、本体ケース内に塵埃を除去する集塵部と電動送風機を内装し、電動送風機の駆動により集塵部に吸引された空気の塵埃を除去するフィルターを集塵部に備えた電気掃除機において、集塵部の開口部にごみを掻き出す突起を取り付けることにより、集塵室のごみを捨てる際に突起によってごみを掻き取ることができ、この構成によりごみを捨てる手間を低減させた電気掃除機を本願発明者は提案している（特許文献１参照）。
【特許文献１】特願２００４−４３１０６号。
【発明の開示】
【発明が解決しようとする課題】
【０００３】
しかしながら、集塵部のフィルターには、集塵部に吸引された塵埃が付着するため目詰まりが起こり易く、フィルターの清掃等のメンテナンスを頻繁に行わなければしなければ課題があった。
【０００４】
そこで本発明は、このような課題を解決するためになされたものであり、フィルターのメンテナンスの手間を低減させることができる電気掃除機を提供することを課題とする。
【課題を解決するための手段】
【０００５】
上記課題を解決するための第１の手段は、電動送風機が内装された掃除機本体と、該掃除機本体に装着され、塵埃を集塵する集塵部と、該集塵部を覆う本体ダストカバーと、前記集塵部と連通し、ホースが着脱自在に接続された吸気流入口とを備えた電気掃除機であって、前記集塵部は、前記吸気流入口に連通する吸込口から吸引された塵埃を貯める集塵室と、該集塵室の上方に設けられた取っ手と、前記集塵室から排気される空気から塵埃を除去するフィルターと、パッキンを有し、前記集塵室内に貯まったごみを捨てる際に開閉する開口部と、該開口部に形成された把手と、該把手と係合することにより前記開口部を閉塞状態に保持する係止部と、該係止部を操作する操作部と、前記開口部を回動自在に回動させる回動軸とを備え、前記フィルターをメッシュ状のプレフィルターとメインフィルターとで構成し、前記プレフィルター及び前記メインフィルターを前記開口部に配設し、更に、前記プレフィルターの上流側に使い捨てフィルターを配置できる構成とし、前記回動軸を、前記集塵部の外周面で、且つ前記集塵室の下方側に位置させ、前記使い捨てフィルターを前記開口部の前記パッキンと前記集塵部とで挟持したことを特徴とする。
【０００６】
上記課題を解決するための第２の手段は、電動送風機が内装された掃除機本体と、該掃除機本体に装着され、塵埃を集塵する集塵部と、該集塵部を覆う本体ダストカバーと、前記集塵部と連通し、ホースが着脱自在に接続された吸気流入口とを備えた電気掃除機であって、前記集塵部は、前記吸気流入口に連通する吸込口から吸引された塵埃を貯める集塵室と、該集塵室の上方に設けられた取っ手と、前記集塵室から排気される空気から塵埃を除去するフィルターと、前記集塵室内に貯まったごみを捨てる際に開閉する開口部と、該開口部を閉塞状態に保持する係止部と、該係止部を操作する操作部と、前記開口部を回動自在に回動させる回動軸とを備え、前記開口部に前記フィルターを配設し、前記フィルターの上流側に使い捨てフィルターを配置できる構成とし、前記使い捨てフィルターの取付面を凹凸の少ないフラットな面で形成し、前記回動軸を、前記集塵部の外周面で、且つ前記集塵室の下方側に位置させ、前記使い捨てフィルターを前記開口部と前記集塵部とで挟持したことを特徴とする。
【０００７】
上記課題を解決するための第３の手段は、電動送風機が内装された掃除機本体と、該掃除機本体に装着され、塵埃を集塵する集塵部と、該集塵部を覆う本体ダストカバーと、前記集塵部と連通し、ホースが着脱自在に接続された吸気流入口とを備えた電気掃除機であって、前記集塵部は、前記吸気流入口に連通する吸込口から吸引された塵埃を貯める集塵室と、該集塵室の上方に設けられた取っ手と、前記集塵室から排気される空気から塵埃を除去するフィルターと、前記集塵室内に貯まったごみを捨てる際に開閉する開口部と、該開口部を閉塞状態に保持する係止部と、該係止部を操作する操作部と、前記開口部を回動自在に回動させる回動軸とを備え、前記開口部に前記フィルターを配設し、前記フィルターの上流側に使い捨てフィルターを配置できる構成とし、前記使い捨てフィルターの取付面の形状を長方形に形成し、前記回動軸を、前記集塵部の外周面で、且つ前記集塵室の下方側に位置させ、前記使い捨てフィルターを前記開口部と前記集塵部とで挟持したことを特徴とする。
【０００８】
上記課題を解決するための第４の手段は、電動送風機が内装された掃除機本体と、該掃除機本体に装着され、塵埃を集塵する集塵部と、該集塵部を覆う本体ダストカバーと、前記集塵部と連通し、ホースが着脱自在に接続された吸気流入口とを備えた電気掃除機であって、前記集塵部は、前記吸気流入口に連通する吸込口から吸引された塵埃を貯める集塵室と、前記集塵室から排気される空気から塵埃を除去するフィルターと、前記集塵室内に貯まったごみを捨てる際に開閉する回動自在の開口部とを備え、前記フィルターを前記開口部に配設し、前記フィルターの上流側に使い捨てフィルターを配置できる構成とし、前記使い捨てフィルターを前記開口部と前記集塵部とで挟持したことを特徴とする。
【０００９】
上記課題を解決するための第５の手段は、電動送風機が内装された掃除機本体と、該掃除機本体に装着され、塵埃を集塵する集塵部と、該集塵部を覆う本体ダストカバーと、前記集塵部と連通し、ホースが着脱自在に接続された吸気流入口とを備えた電気掃除機であって、前記集塵部は、前記吸気流入口に連通する吸込口から吸引された塵埃を貯める集塵室と、前記集塵室から排気される空気から塵埃を除去するフィルターと、前記集塵室内に貯まったごみを捨てる際に開閉する回動自在の開口部とを備え、前記フィルターをプレフィルターとメインフィルターとで構成し、前記プレフィルター及び前記メインフィルターを前記開口部に配設し、前記プレフィルターの上流側に使い捨てフィルターを配置できる構成とし、前記使い捨てフィルターを前記開口部と前記集塵部とで挟持したことを特徴とする。
【発明の効果】
【００１０】
本発明の請求項１の構成によれば、使い捨てフィルターをフィルターの上流側に配設することによりフィルターの目詰まりを抑制することができるため、フィルターのメンテナンスの手間を低減させることができる。また、使い捨てフィルターはパッキンと集塵部とで挟持されることにより装着されるため、使い捨てフィルターの装着性を向上させることができる。また、取っ手が集塵室の上方に位置し、回動軸は集塵室の下方に位置するため、使い捨てフィルターをごみと共に容易に廃棄することができる等の効果を奏する。
【００１１】
本発明の請求項２の構成によれば、使い捨てフィルターをフィルターの上流側に配設することによりフィルターの目詰まりを抑制することができるため、フィルターのメンテナンスの手間を低減させることができる。また、使い捨てフィルターは開口部と集塵部とで挟持されることにより装着されるため、使い捨てフィルターの装着性を向上させることができる。また、取っ手が集塵室の上方に位置し、回動軸は集塵室の下方に位置するため、使い捨てフィルターをごみと共に容易に廃棄することができる。また、使い捨てフィルターの取り付け面が凹凸も少ないフラットな面で形成されていることにより、電動送風機の吸引力により使い捨てフィルターの破損を防止することができる等の効果を奏する。
【００１２】
本発明の請求項３の構成によれば、使い捨てフィルターをフィルターの上流側に配設することによりフィルターの目詰まりを抑制することができるため、フィルターのメンテナンスの手間を低減させることができる。また、使い捨てフィルターは開口部と集塵部とで挟持されることにより装着されるため、使い捨てフィルターの装着性を向上させることができる。また、取っ手が集塵室の上方に位置し、回動軸は集塵室の下方に位置するため、使い捨てフィルターをごみと共に容易に廃棄することができる。また、使い捨てフィルターの取付面の形状が長方形に形成されていることにより、使い捨てフィルターを容易に装着できる等の効果を奏する。
【００１３】
本発明の請求項４の構成によれば、使い捨てフィルターをフィルターの上流側に配設することによりフィルターの目詰まりを抑制することができるため、フィルターのメンテナンスの手間を低減させることができる。また、使い捨てフィルターはパッキンと集塵部とで挟持されることにより装着されるため、使い捨てフィルターの装着性を向上させることができる。
【００１４】
本発明の請求項５の構成によれば、使い捨てフィルターをフィルターの上流側に配設することによりフィルターの目詰まりを抑制することができるため、フィルターのメンテナンスの手間を低減させることができる。また、使い捨てフィルターはパッキンと集塵部とで挟持されることにより装着されるため、使い捨てフィルターの装着性を向上させることができる。
【発明を実施するための最良の形態】
【００１５】
（第１実施形態）
本発明の電気掃除機の第１実施形態を図１乃至図４に基づいて以下に詳述する。電気掃除機の掃除機本体１は塵埃を集塵する集塵部２と電動送風機３から構成され、集塵部２は本体ダストカバー４により覆われている。ホース５が着脱自在に接続される吸気流入口６は集塵部２に連通している。（図１参照）
集塵部２は、吸気流入口６に連通する吸込口７と、吸込口７から吸引された塵埃を貯める集塵室８と、集塵室８内に貯まったごみを捨てる際に開閉する開口部９と、開口部９に形成され、開口部９を開閉する際に操作する把手１０と、把手１０と係合することにより開口部９を閉塞状態に保持する係止部１１と、係止部１１を操作する操作部１２と、開口部９を回動自在に回動させる回動軸１３とから構成されている（図２参照）。
【００１６】
開口部９にはウレタン等からなるフィルター１４が配設され、集塵部２から排気される空気から塵埃を除去するようになっている。開口部９と集塵室８間のフィルター１４の上流側には使い捨てフィルター１５がパッキン１６でシールされて挟持されている（図２、図３参照）。また、開口部９の使い捨てフィルター１５の取付面１７は凹凸の少ないフラットな面に形成されている。
【００１７】
このように構成された電気掃除機は、電動送風機３の駆動によりホース５を介して吸気流入口６から集塵部２の吸込口７に空気が流入し、使い捨てフィルター１５及びフィルター１４により塵埃が除去され電動送風機３を通過する際に電動送風機３を冷却して掃除機本体１外へ排気される。使い捨てフィルター１５及びフィルター１４により除去された塵埃は集塵室８内に貯留される。
【００１８】
使い捨てフィルター１５をフィルター１４の上流側に配設することによりフィルター１４の目詰まりを抑制することができるため、フィルター１４のメンテナンスの手間を低減させることができる。また、使い捨てフィルター１５は開口部９に挟持されることにより装着されるため、使い捨てフィルター１５の装着性を向上させることができる。さらに、回動軸１３は集塵部２の外周面から離れた位置に配置されているため、回動軸１３と集塵室８までの距離を多くとることができ、使い捨てフィルター１５の先端部１８を確実に開口部９と集塵室８間で挟持することにより、使い捨てフィルター１５によりフィルター１４を確実に覆うことができる。また、使い捨てフィルター１５の取付面１７はフラットに形成されているため、電動送風機３の吸引力により使い捨てフィルター１５の破損を防止することができる。
【００１９】
尚、第１実施形態において、図５及び図６に示すようにパッキン１６より内側に対応する位置の集塵室８に形成されたフィルター押さえ部１９により使い捨てフィルター１５を保持する構成にしてもよい。この構成により使い捨てフィルター１５によるパッキン１６のへたりを防止することができ、使い捨てフィルター１５の使用を取りやめた際のパッキン１６のシール性を向上させることができる。
【００２０】
また、第１実施形態において、図７に示すように使い捨てフィルター１５の取付面１７に、使い捨てフィルター１５の装着位置を示す印刷を施してもよい。この構成により使い捨てフィルター１５の装着位置を使用者に容易に理解させることができる。
【００２１】
（第２実施形態）
図８乃至図１３は本発明の第２実施形態を示している。尚、第１実施形態と同一部品については同一符号を付して説明を省略する。
【００２２】
第２実施形態の使い捨てフィルター１５ａは、図８に示すように袋状に形成されている。開口部９は、プレフィルター部２０とメインィルター部２１に分離可能になっている。プレフィルター部２０には目の粗いメッシュ状のプレフィルター２２が配設されている。メインィルター部２１にはウレタン等からなるフィルター１４が配設されている。
【００２３】
使い捨てフィルター１５ａはプレフィルター部２０に被せるだけで容易に装着できるようになっている。使い捨てフィルター１５ａの前面（上流側）には開口穴２４が形成されている。開口穴２４に対応するプレフィルター部２０にはプレフィルター２２は配設されておらず、開口穴２４は直接フィルター１４に連通している。
【００２４】
このように構成された使い捨てフィルター１５ａは袋状に形成されているため、使い捨てフィルター１５ａをプレフィルター部２０に被せるだけで装着することができ、使い捨てフィルター１５の装着性を向上させることができる。
【００２５】
また、袋状の使い捨てフィルター１５ａは２重になっており、フィルターの表面積を多く確保することができるため、使い捨てフィルター１５ａの寿命を向上させることができる。
この結果、フィルター１４のメンテナンスの手間をさらに低減させることができる。
【００２６】
また、使い捨てフィルター１５の前面（上流側）が目詰まりした場合、電動送風機３へ流れる空気量が減少して電動送風機３の温度が上昇するため、電動送風機３の寿命に悪影響を及ぼす虞がある。これに対して、第２実施形態では、使い捨てフィルター１５の前面に開口穴２４を設けているため、開口穴２４を介して空気を電動送風機３へ流すことができ、電動送風機３の寿命に悪影響を及ぼす虞はない。またこの時、後側（後流側）の使い捨てフィルター１５により塵埃を除去することができるため、フィルター１４の寿命低下を防止することができる。
【００２７】
また、第２実施形態において、図１２及び図１３に示すように使い捨てフィルター１５ａの上流側（図１２の左側）と下流側（図１２の右側）の材質を変えた構成にしてもよい。使い捨てフィルター１５ａの上流側の目を粗くし、使い捨てフィルター１５ａの下流側の目を細かくしている。
【００２８】
集塵部２をコンパクト化するとフィルター１４の表面積が限定されるため、フィルター１４の目詰まりによるフィルター１４の寿命が低下する虞があった。これに対して、第２実施形態では、使い捨てフィルター１５ａの上流側の目を粗くし、使い捨てフィルター１５ａの下流側の目を細かくしているため、使い捨てフィルター１５ａの上流側で粒子の大きなごみを捕捉し、使い捨てフィルター１５ａの下流側で粒子の小さなごみを捕捉する。このようにして使い捨てフィルター１５ａの上流側で粒子の小さなごみを通過させて、使い捨てフィルター１５ａの下流側で粒子の小さなごみを捕捉するため、使い捨てフィルター１５ａの上流側の目詰まりを抑制させることができ、使い捨てフィルター１５ａの寿命を向上させることができる。
【００２９】
尚、第２実施形態では、使い捨てフィルター１５の上流側に開口穴２４を形成したが、この構成に限定されるものではない。開口穴２４に対応する位置のプレフィルター部２０に図示しない突出部を形成し、開口部９が形成されていない袋状の使い捨てフィルター１５ａをこのプレフィルター部２０に装着することにより、使い捨てフィルター１５ａの上流側が突出部により破れて開口部９が形成される構成にしてもよい。
【００３０】
また、第２実施形態では、使い捨てフィルター１５ａを袋状に形成したが、この構成に限定されるものではない。図１４に示すように１枚の使い捨てフィルター１５ａ´略字状に折り曲げた構成にしてもよい。
【００３１】
（第３実施形態）
図１５乃至図３１は本発明の第３実施形態を示している。尚、第１実施形態及び第２実施形態と同一部品については同一符号を付して説明を省略する。第３実施形態は使い捨てフィルター１５の位置決め方法に関する形態を示している。
【００３２】
図１５乃至図１７は、開口部９の回動軸１３の形状に対応して使い捨てフィルター１５に切り欠き２５を形成している。図１５に示すようにこの切り欠き２５が回動軸１３によって位置決めされることにより、使い捨てフィルター１５の位置が決まるため、位置ずれすることなくフィルター１４の上流側に使い捨てフィルター１５を確実に位置させることができる。また、開口部９を回動させる回動軸１３は使い捨てフィルター１５の位置決めに兼用することができるため、構成を簡素化することができる。
【００３３】
また、図１８及び図１９に示すように形状の異なる切り欠き２５ａを使い捨てフィルター１５に形成すると共に、取付面１７にこの切り欠き２５ａに対応する突出部２６形成することにより、使い捨てフィルター１５の位置決めを行うと共に、使い捨てフィルター１５の前後の方向性を規制するような構成にしてもよい。この構成により使い捨てフィルター１５を袋状にした場合等の使い捨てフィルター１５の方向性を規制して使い捨てフィルター１５寿命を向上させることができる。
【００３４】
図２０乃至図２４は、開口部９の使い捨てフィルター１５の取付面１７に、使い捨てフィルター１５の外周の位置を規制する突条２７を設けた構成になっている。図２０乃至図２２は使い捨てフィルター１５の取付面１７の隣接する２辺に突条２７を設けた構成になっている。この構成により使い捨てフィルター１５をこの２辺の突条２７に当接させることによって、使い捨てフィルター１５の位置が決まるため、位置ずれすることなくフィルター１４の上流側に使い捨てフィルター１５を確実に位置させることができる。
【００３５】
また、図２３及び図２４は使い捨てフィルター１５の取付面１７の３辺に突条２７を設けた構成になっている。この構成により使い捨てフィルター１５をこの３辺の突条２７に当接させることによって、使い捨てフィルター１５の位置が容易に決まるため、位置ずれすることなくフィルター１４の上流側に使い捨てフィルター１５を確実に且つ容易に位置させることができる。
【００３６】
図２５乃至図３１は、開口部９の使い捨てフィルター１５の取付面１７に、使い捨てフィルター１５の位置を規制する突起２８を設けると共に、使い捨てフィルター１５に突起２８に係合する孔２９を設けた構成になっている。図２５乃至図２８は使い捨てフィルター１５の取付面１７に２箇所の突起２８を設けると共に、使い捨てフィルター１５に２箇所の孔２９を設けた構成になっている。この構成により使い捨てフィルター１５の２箇所の孔２９を２箇所の突起２８に係合させることによって、使い捨てフィルター１５の位置が決まるため、位置ずれすることなくフィルター１４の上流側に使い捨てフィルター１５を確実に位置させることができる。
【００３７】
また、図２９乃至図３１は使い捨てフィルター１５の取付面１７に３箇所の突起２８を設けると共に、使い捨てフィルター１５に３箇所の孔２９を設けた構成になっている。この構成により使い捨てフィルター１５の３箇所の孔２９を３箇所の突起２８に係合させることによって、使い捨てフィルター１５の位置が容易に決まるため、位置ずれすることなくフィルター１４の上流側に使い捨てフィルター１５を確実に且つ容易に位置させることができる。また、この構成により前後の方向性も規制することができる。
【００３８】
（第４実施形態）
図３２乃至図３５は本発明の第４実施形態を示している。尚、第１実施形態乃至第３実施形態と同一部品については同一符号を付して説明を省略する。
【００３９】
第４実施形態は、開口部９の上流側に回動軸１３により回動するフィルター枠３０を設けた構成になっている。フィルター枠３０には使い捨てフィルター１５が着脱自在に装着される。フィルター枠３０の回動軸１３に対向する先端部には軸３１により回動するフィルター押さえ３２が配置されている。また、回動軸１３は集塵部２の取っ手３３の対向する側に配置されている（図３２参照）。
【００４０】
このように構成された集塵部２は、フィルター枠３０に使い捨てフィルター１５を配置すると共に、フィルター押さえ３２で使い捨てフィルター１５を保持することにより使い捨てフィルター１５は装着される。そして、図３３に示すようにフィルター枠３０を開口部９を介して集塵部２に装着することによりフィルター枠３０のフィルター押さえ３２は使い捨てフィルター１５を保持した状態で固定される。この結果、使い捨てフィルター１５によりフィルター１４に塵埃が堆積することを抑制することができ、フィルター１４の寿命を向上させることができる。
【００４１】
集塵室８に貯まったごみを廃棄する時は、開口部９を開放するとフィルター枠３０も開放される。この時、図３２に示すように取っ手３３が上方に位置し回動軸１３は下方に位置するため、フィルター押さえ３２は重力により使い捨てフィルター１５を解放する方向へ回動し、使い捨てフィルター１５をごみと共に容易に廃棄することができる。ごみの廃棄が終わると新たな使い捨てフィルター１５をフィルター枠３０に装着すればよい。この時、フィルター枠３０上に使い捨てフィルター１５を載せるだけで容易に使い捨てフィルター１５を装着することができるため、使い捨てフィルター１５の装着性を向上させることができる。
【００４２】
尚、第４実施形態において、図３６に示すように回動軸１３を取っ手３３側に配置した構成にしてもよい。この構成によりごみを廃棄する時に開口部９等が障害になることはなく、ごみの廃棄作業性が向上する。
【００４３】
また、第４実施形態において、図３７乃至図３９に示すように使い捨てフィルター１５をレバー３４により着脱自在に構成してもよい。
【００４４】
回動自在なレバー３４は、操作部１２近傍に配置されている。レバー３４は、一方向に回動すると図３７に示すように使い捨てフィルター１５を保持し、他方向に回動すると図３８に示すように使い捨てフィルター１５を開放するようになっている。
【００４５】
この構成により、ごみを廃棄する際に使い捨てフィルター１５の汚れが比較的少ない時には、レバー３４操作をしなければ使い捨てフィルター１５が廃棄されるのを防止することができる。また、使い捨てフィルター１５を廃棄する場合には、レバー３４を操作すれば使い捨てフィルター１５は廃棄される。
【００４６】
このようにして、レバー３４を操作するだけで、まだ使用できる使い捨てフィルター１５が廃棄されてしまうことを防止することができ、使い勝手を向上させることができる。また、図３９に示すようにレバー３４は操作部１２の近傍に配置されているため、レバー３４と操作部１２の操作を片手で行うことができ、操作性を向上させることができる。
【００４７】
(第５実施形態)
図４０乃至図４８は本発明の第５実施形態を示している。尚、第１実施形態乃至第４実施形態と同一部品については同一符号を付して説明を省略する。
【００４８】
開口部９のフィルター１４より上流側に配置される使い捨てフィルター１５は、既製品ではなく一般に市販されている、例えば、テッシュペーパ等が使用されるため、使い捨てフィルター１５の端分は開口部９からはみ出してしまう。この結果、集塵部２を掃除機本体１内に収納する時、開口部９からはみ出した使い捨てフィルター１５の端分が掃除機本体１内壁と集塵部２外壁との間に引っ掛り、使い捨てフィルター１５が破損する虞があった。
【００４９】
これに対して、第５実施形態では、開口部９からはみ出す使い捨てフィルター１５による使い捨てフィルター１５の破損を防止する構成になっている。
【００５０】
図４０乃至図４２は、集塵部２の開口部９が係合する使い捨てフィルター１５の取付面１７に断面が略三角状のリブ３５を形成すると共に、開口部９にリブ３５に係合する被係合部３６を形成した構成になっている。この構成により、開口部９からはみ出す使い捨てフィルター１５をリブ３５と被係合部３６とによって切断することができるため、使い捨てフィルター１５の破損を防止することができる（図４２参照）。
【００５１】
図４３乃至図４６は、開口部９と集塵室８間を回動自在に回動する枠体３７を設けた構成になっている。枠体３７の大きさは開口部９より大きく、使い捨てフィルター１５より小さく形成されている。この構成により、開口部９に載置された使い捨てフィルター１５を枠体３７により固定することができると共に、開口部９からはみ出した使い捨てフィルター１５を枠体３７により収納状態に保持させることができる。この結果、使い捨てフィルター１５の破損を防止することができる。
【００５２】
また、図４６に示すように開口部９の端部に切り返し３８を設けることにより使い捨てフィルター１５の端部を処理することができ、より確実に使い捨てフィルター１５の破損を防止することができる。
【００５３】
図４７及び図４８は、開口部９に保護部３９を形成し、開口部９からはみ出す使い捨てフィルター１５を保護部３９で覆う構成にしている。この構成により使い捨てフィルター１５の破損を防止することができる。
【００５４】
（第６実施形態）
図４９及び図５０は本発明の第６実施形態を示している。尚、第１実施形態乃至第５実施形態と同一部品については同一符号を付して説明を省略する。
【００５５】
第６実施形態の集塵部２は、プレフィルター部２０とフィルター部３０との間に使い捨てフィルター１５を挟持する構成になっている。プレフィルター部２０は目の粗いごみを除去するために目が粗くなっているため、プレフィルター部に付着したごみは除去しやすくなっている。また、使い捨てフィルター１５はプレフィルター部２０により目詰まりし難くなっている。この結果、使い捨てフィルター１５の寿命を向上させることができる。また、プレフィルター部２０に付着したごみは容易に除去することができる。
【００５６】
（第７実施形態）
図５１及び図５２は本発明の第７実施形態を示している。尚、第１実施形態乃至第６実施形態と同一部品については同一符号を付して説明を省略する。
【００５７】
第７実施形態は、使い捨てフィルター１５を前開口部４０と後開口部４１間で挟持することによりプリーツ状に形成するようになっている。前開口部４０及び後開口部４１は図５１に示すように波状に形成されている。この結果、使い捨てフィルター１５を前開口部４０と後開口部４１間で挟持することにより、前開口部４０と後開口部４１の形状に沿って使い捨てフィルター１５がプリーツ状になるため、使い捨てフィルター１５の表面積を大きくして使い捨てフィルター１５の寿命を向上させることができる。
【００５８】
（第８実施形態）
図５３は本発明の第８実施形態を示している。尚、第１実施形態乃至第７実施形態と同一部品については同一符号を付して説明を省略する。
【００５９】
第８実施形態は、使い捨てフィルター１５の取付面１７の形状を横長（ａ＜ｂ）の長方形に形成している。使い捨てフィルター１５は一般にテッシュペーパがよく用いられる。一般的にテッシュペーパの寸法は縦２００〜２１０ｍｍ、横２２０〜２３０ｍｍであるため、取付面１７の寸法をテッシュペーパより１０〜４０ｍｍ程度小さくした縦（ａ）１６０〜１８０ｍｍ、横（ｂ）１８０〜２００ｍｍとしている。この結果、取付面１７にテッシュペーパが比較的容易に装着できるようになる。
【００６０】
（第９実施形態）
図５４乃至図５６は本発明の第９実施形態を示している。尚、第１実施形態乃至第８実施形態と同一部品については同一符号を付して説明を省略する。
【００６１】
第９実施形態は、開口部９を閉塞状態に保持する係止部１１の形状を開口部９の外周側から開口部９に係止する構成になっている（図５６参照）。この構成により係止部１１が開口部９と集塵室８間に挟持される使い捨てフィルター１５に突き刺さることはなく、係止部１１により使い捨てフィルター１５を変形させながら開口部９を係止させることができるため、使い捨てフィルター１５の破損を防止することができる。この結果、集塵室８のごみを捨てる時、使い捨てフィルター１５に突き刺さった係止部１１の係合を取り除く必要がないため、使い捨てフィルター１５の廃棄作業性を向上させることができる。
【００６２】
（第１０実施形態）
図５７乃至図５９は本発明の第１０実施形態を示している。尚、第１実施形態乃至第９実施形態と同一部品については同一符号を付して説明を省略する。
【００６３】
第１実施形態乃至第９実施形態では、回動軸１３により回動する開口部９にフィルター１４を配置したが、第１０実施形態は開口部９以外の所にフィルター１４を配置した構成になっている。
【００６４】
集塵部２の吸込口７とフィルター１４との間の空間は開口を有する仕切り壁４２で仕切られている。回動軸１３を回動中心として回動する開口部９にはフィルター枠４３が設けられている。集塵部２の出口にはフィルター１４が配置されている。フィルター枠４３は、開口部９が集塵室８を閉塞状態に維持している時には、仕切り壁４２に近接するようになっている。吸込口７と仕切り壁４２間の空間は、吸込口７から吸引された空気を吸込口７に対向する衝突壁４６に当てることにより大きな塵埃を除去する第１集塵室４４となっている。仕切り壁４２とフィルター１４間の空間は、第１集塵室４４を通過した微細な塵埃をフィルター１４により除去する第２集塵室４５となっている。使い捨てフィルター１５は仕切り壁４２とフィルター枠４０間で挟持可能に構成されている。
【００６５】
第１０実施形態は、このように構成されているため、吸込口７から吸引された空気は第１集塵室４４において比較的大きなごみが除去され、除去されたごみは開口部９に堆積する。使い捨てフィルター１５及び仕切り壁４２を介して第２集塵室４５に流入した空気はフィルター１４により微細な塵埃が除去されて集塵部２外へ排気される。
【００６６】
第２集塵室４５内に流入する空気の塵埃は、使い捨てフィルター１５により除去することができるため、フィルター１４の負荷を軽減してフィルター１４の寿命を向上させることができる。使い捨てフィルター１５は開口部９を開放すると容易に廃棄することができるため、使い捨てフィルター１５の廃棄作業性を向上させることができる。またフィルター枠４３は、開口部９の開放と共に第１集塵室４４内から第１集塵室４４外へ移動するため、第１集塵室４４内のごみを掻き出す効果があり、ごみの廃棄作業性を向上させることができる。
【図面の簡単な説明】
【００６７】
【図１】本発明の第１実施形態の電気掃除機の側断面図である。
【図２】同電気掃除機の集塵部の展開断面図である。
【図３】同電気掃除機の集塵部の断面図である。
【図４】同電気掃除機の集塵部の平面図で、取付面側から見た状態を示す。
【図５】同電気掃除機の集塵部の断面図で、変形例を示す。
【図６】図５の要部断面図で、拡大した状態を示す。
【図７】同電気掃除機の集塵部の平面図で、他の変形例を示す。
【図８】本発明の第２実施形態の電気掃除機の側断面図で、展開した状態を示す。
【図９】図８の要部断面図で、拡大した状態を示す。
【図１０】同電気掃除機の集塵部の平面図で、取付面側から見た状態を示す。
【図１１】同電気掃除機の集塵部の使い捨てフィルターの平面図である。
【図１２】同電気掃除機の集塵部の展開断面図で、変形例を示す。
【図１３】図１２の要部断面図で、拡大した状態を示す。
【図１４】同電気掃除機の集塵部の使い捨てフィルターの変形例を示す。
【図１５】本発明の第３実施形態の電気掃除機の集塵部の平面図で、取付面側から見た状態を示す。
【図１６】同電気掃除機の集塵部の使い捨てフィルターの平面図である。
【図１７】同電気掃除機の集塵部の断面図である。
【図１８】同電気掃除機の集塵部の平面図で、変形例を示す。
【図１９】図１２のＡ−Ａ断面図である。
【図２０】同電気掃除機の集塵部の平面図で、他の変形例を示す。
【図２１】同電気掃除機の集塵部に使い捨てフィルターを装着した状態の平面図である。
【図２２】図２２のＡ−Ａ断面図である。
【図２３】同電気掃除機の集塵部の平面図で、さらに他の変形例を示す。
【図２４】同電気掃除機の集塵部に使い捨てフィルターを装着した状態の平面図である。
【図２５】同電気掃除機の集塵部の平面図で、他の変形例を示す。
【図２６】同電気掃除機の集塵部の使い捨てフィルターの平面図である。
【図２７】同電気掃除機の集塵部に使い捨てフィルターを装着した状態の平面図である。
【図２８】図２７のＡ−Ａ断面図である。
【図２９】同電気掃除機の集塵部の平面図で、さらに他の変形例を示す。
【図３０】同電気掃除機の集塵部の使い捨てフィルターの平面図である。
【図３１】同電気掃除機の集塵部に使い捨てフィルターを装着した状態の平面図である。
【図３２】本発明の第４実施形態の電気掃除機の集塵部の平面図で、展開した状態を示す。
【図３３】同電気掃除機の集塵部の平面図である。
【図３４】同電気掃除機の集塵部の使い捨てフィルターの平面図である。
【図３５】同電気掃除機の集塵部のフィルター押さえの断面図である。
【図３６】同電気掃除機の集塵部の展開平面図で、変形例を示す。
【図３７】同電気掃除機の集塵部の他の変形例の平面図で、使い捨てフィルターを保持した状態を示す。
【図３８】同電気掃除機の集塵部の他の変形例の平面図で、使い捨てフィルターを開放した状態を示す。
【図３９】同電気掃除機の集塵部の他の変形例の平面図である。
【図４０】本発明の第５実施形態の電気掃除機の集塵部の断面図である。
【図４１】同電気掃除機の集塵部の要部断面図で、使い捨てフィルターを切断する前の状態を示す。
【図４２】同電気掃除機の集塵部の要部断面図で、使い捨てフィルターを切断した後の状態を示す。
【図４３】同電気掃除機の集塵部の展開断面図で、変形例を示す。
【図４４】同電気掃除機の集塵部の変形例の平面図である。
【図４５】同電気掃除機の集塵部の断面図で、拡大した状態を示す。
【図４６】同電気掃除機の集塵部のさらに変形例の断面図で、拡大した状態を示す。
【図４７】同電気掃除機の集塵部の断面図で、他の変形例を示す。
【図４８】同電気掃除機の集塵部の他の変形例の断面図で、拡大した状態を示す。
【図４９】本発明の第６実施形態の電気掃除機の集塵部の展開断面図である。
【図５０】同電気掃除機の集塵部の断面図である。
【図５１】本発明の第７実施形態の電気掃除機の集塵部の展開断面図である。
【図５２】同電気掃除機の集塵部の断面図である。
【図５３】本発明の第８実施形態の電気掃除機の集塵部の平面図で、取付面側から見た状態を示す。
【図５４】本発明の第９実施形態の電気掃除機の集塵部の断面図で、展開した状態を示す。
【図５５】同電気掃除機の集塵部の断面図で、展開した状態を示す。
【図５６】同電気掃除機の集塵部の断面図である。
【図５７】本発明の第１０実施形態の電気掃除機の集塵部の断面図である。
【図５８】同電気掃除機の集塵部の断面図で、開口部を開放した状態を示す。
【図５９】同電気掃除機の集塵部のフィルター枠の平面図である。
【符号の説明】
【００６８】
３      電動送風機
１      掃除機本体
２      集塵部
４      本体ダストカバー
５      ホース
６      吸気流入口
８      集塵室
３３    取っ手
１６    パッキン
９      開口部
１０    把手
１１    係止部
１２    操作部
１３    回動軸
２２    プレフィルター
１４    フィルター（メインフィルター）
１５    使い捨てフィルター
【図１】
2006346489.tif 000003
【図２】
2006346489.tif 000004
【図３】
2006346489.tif 000005
【図４】
2006346489.tif 000006
【図５】
2006346489.tif 000007
【図６】
2006346489.tif 000008
【図７】
2006346489.tif 000009
【図８】
2006346489.tif 000010
【図９】
2006346489.tif 000011
【図１０】
2006346489.tif 000012
【図１１】
2006346489.tif 000013
【図１２】
2006346489.tif 000014
【図１３】
2006346489.tif 000015
【図１４】
2006346489.tif 000016
【図１５】
2006346489.tif 000017
【図１６】
2006346489.tif 000018
【図１７】
2006346489.tif 000019
【図１８】
2006346489.tif 000020
【図１９】
2006346489.tif 000021
【図２０】
2006346489.tif 000022
【図２１】
2006346489.tif 000023
【図２２】
2006346489.tif 000024
【図２３】
2006346489.tif 000025
【図２４】
2006346489.tif 000026
【図２５】
2006346489.tif 000027
【図２６】
2006346489.tif 000028
【図２７】
2006346489.tif 000029
【図２８】
2006346489.tif 000030
【図２９】
2006346489.tif 000031
【図３０】
2006346489.tif 000032
【図３１】
2006346489.tif 000033
【図３２】
2006346489.tif 000034
【図３３】
2006346489.tif 000035
【図３４】
2006346489.tif 000036
【図３５】
2006346489.tif 000037
【図３６】
2006346489.tif 000038
【図３７】
2006346489.tif 000039
【図３８】
2006346489.tif 000040
【図３９】
2006346489.tif 000041
【図４０】
2006346489.tif 000042
【図４１】
2006346489.tif 000043
【図４２】
2006346489.tif 000044
【図４３】
2006346489.tif 000045
【図４４】
2006346489.tif 000046
【図４５】
2006346489.tif 000047
【図４６】
2006346489.tif 000048
【図４７】
2006346489.tif 000049
【図４８】
2006346489.tif 000050
【図４９】
2006346489.tif 000051
【図５０】
2006346489.tif 000052
【図５１】
2006346489.tif 000053
【図５２】
2006346489.tif 000054
【図５３】
2006346489.tif 000055
【図５４】
2006346489.tif 000056
【図５５】
2006346489.tif 000057
【図５６】
2006346489.tif 000058
【図５７】
2006346489.tif 000059
【図５８】
2006346489.tif 000060
【図５９】
2006346489.tif 000061